(57)【要約】【課題】ウェブページの印刷方法を提供する。【解決手段】ユーザがブラウザーを駆動してウェブサイトに接続した状態で特定のウェブページを印刷要求するとウェブ専用のビューアが動作してウェブページをスクロールキャプチャーして現在のウェブページ大きさをブラウザーの印刷領域に合わせるように自動調節したページイメージを生成してウェブの専用制御窓に表示する。ウェブの印刷メニューで印刷ボタンが選択されると印刷領域が自動調節されたページを印刷する。印刷メニューで選択領域ボタンが選択された後、ページの特定の領域が選択されるとブラウザーの印刷領域の大きさに自動調節された選択された内容だけを印刷する。本発明は、従来のウェブページ印刷で、右側端の部分が切られた状態で印刷される問題点を解消し、別の文書作成機を用いなくても、ユーザが必要とする一部の内容だけを選択的に印刷することができる。【選択図】  図５
2008135062.tif 000002
【特許請求の範囲】
【請求項１】
ウェブユーザーがウェブブラウザーを駆動して特定のウェブサーバーのウェブサイトに接続した状態で該当のウェブサイトの特定のウェブページに対して印刷を要求する段階と；
印刷要求があれば、該当のウェブサイトのウェブサーバーがウェブユーザーのＰＣにウェブページ印刷方法を実行するプログラムであるウェブ印刷専用ビューアーをダウンロードする段階；及び
前記ウェブユーザーのＰＣにダウンロードされたウェブブラウザーから提供されるウェブページ印刷用プログラムであるウェブ印刷専用ビューアーがウェブブラウザーから提供されるウェブ印刷ビューアーと別個に自動動作して前記 ウェブページをスクロールキャプチャーして現在のウェブページの大きさを前記ウェブブラウザーの印刷領域に合わせるように自動調節した初期ウェブページのイメージを生成してウェブユーザーのＰＣに連動するプリンターを通じて印刷する段階
からなることを特徴とするウェブページの印刷方法。
【請求項２】
さらに、前記ウェブ印刷専用ビューアーが前記初期ウェブページのイメージを生成した後、前記ウェブユーザーが印刷ページの移動、拡大／縮小および印刷開始命令を実行するプログラムであるウェブ印刷専用制御窓に表示する段階を含むことを特徴とする請求項１に記載のウェブページの印刷方法。
【請求項３】
さらに、前記ウェブ印刷専用ビューアーが前記初期ウェブページのイメージを生成した後、前記初期ウェブページのイメージの大きさが前記ウェブブラウザーで設定されている印刷用紙の印刷領域を超過するかどうかを判断して前記初期ウェブページのイメージの大きさが前記ウェブブラウザーで設定されている印刷用紙の印刷領域を超過しなければ、前記ウェブ印刷専用ビューアーが前記初期ウェブページのイメージをウェブ印刷専用制御窓に表示する段階；及び
前記ウェブ印刷専用制御窓にウェブページのイメージが表示された状態で、前記印刷メニューで印刷ボタンが選択されると前記ウェブ印刷専用ビューアーが前記ウェブブラウザーで設定されている印刷用紙の印刷領域に合わせるように大きさが自動調節されたウェブページをウェブユーザーのＰＣと連動するプリンターを通じて印刷する段階
を含むことを特徴とする請求項１又は請求項２に記載のウェブページの印刷方法。
【請求項４】
さらに、前記ウェブ印刷専用ビューアーが前記初期ウェブページのイメージを生成した後、前記初期ウェブページのイメージの大きさが前記ウェブブラウザーで設定されている印刷用紙の大きさを超過するかどうかを判断して前記初期ウェブページのイメージの大きさが前記ウェブブラウザーの印刷用紙の大きさを超過すると、前記ウェブ印刷専用ビューアーが前記初期ウェブページのイメージを複数のウェブページのイメージに分離した後、前記複数のウェブページのイメージの中で一番目のウェブページのイメージを前記ウェブ印刷専用制御窓に表示し、残りのウェブページのイメージ等は前記ウェブ印刷専用制御窓の印刷メニューでページ移動ボタンが 選択される時毎に順次に表示されるようにする段階；及び
前記ウェブ印刷専用制御窓にウェブページのイメージが表示された状態で、前記印刷メニューで印刷ボタンが選択されると前記ウェブ印刷専用ビューアーが前記ウェブブラウザーで設定されている印刷用紙の印刷領域に合わせるように大きさが自動調節されたウェブページをウェブユーザーのＰＣと連動するプリンターを通じて印刷する段階
を含むことを特徴とする請求項１又は請求項２に記載のウェブページの印刷方法。
【請求項５】
前記初期ウェブページのイメージを生成する段階ではビットマップ方式の初期ウェブページのイメージを生成することを特徴とする請求項１又は請求項２に記載のウェブページの印刷方法。
【請求項６】
さらに、前記ウェブ印刷専用制御窓の印刷メニューで選択領域ボタンが選択された後、前記ウェブ印刷専用制御窓に表示されたウェブページのイメージで特定の領域が選択されると、前記ウェブ印刷専用ビューアーが前記ウェブブラウザーで設定されている印刷用紙の印刷領域に合わせるように大きさが自動調節されたウェブページの内容の中で、前記選択された領域に該当する内容だけを含むウェブページをウェブユーザーのＰＣと連動するプリンターを通じて印刷する段階を含むことを特徴とする請求項２に記載のウェブページの印刷方法。
【請求項７】
さらに、前記ウェブ印刷専用制御窓にウェブペー ジのイメージが表示された状態で、前記印刷メニューで保存ボタンが選択されると、前記ウェブ印刷専用ビューアーが前記ウェブブラウザーで設定されている印刷用紙の印刷領域に合わせるように大きさが自動調節されたウェブページをウェブユーザーのＰＣに特定のイメージファイルとして保存する段階を含むことを特徴とする請求項２に記載のウェブページの印刷方法。
【発明の詳細な説明】
【技術分野】
【０００１】
本発明はウェブページの印刷方法に関し、詳しくはウェブページの大きさをウェブブラウザーの印刷領域に合わせるように自動調節してウェブページを印刷する、又はウェブブラウザーの印刷領域に合わせるように大きさが自動調節されたウェブページの内容の中での一部を選択して印刷する方法に関する。
【背景技術】
【０００２】
一般に一番広く利用されるウェブページの印刷方法はウェブユーザーがウェブブラウザーを駆動して特定のウェブサイトに接続した状態で前記ウェブブラウザーから提供される印刷メニューを選択して前記ウェブブラウザーで基本的に設定された印刷用紙の印刷領域によって特定のウェブページを印刷する方法である。
【０００３】
しかし、このようにウェブブラウザーから提供される印刷メニューを選択して特定のウェブページを印刷する方法は前記ウェブページの大きさと関係なく、前記ウェブブラウザーで基本的に設定された縦方向の印刷用紙の印刷領域に限定して前記ウェブページを印刷するので、前記ウェブページの大きさがウェブブラウザーの印刷用紙の印刷領域より大きい場合には出力用紙に前記ウェブページの特定の領域、例えば、ウェブページの右側端の部分が切られた状態で印刷される問題点があり、その結果、出力用紙を無駄遣いするだけでなく、ウェブユーザーの立場で相当なストレスを受ける。
【０００４】
実際に、図１と図２に示すように、ウェブブラウザーの一種であるマイクロソフトインターネットエクスプローラから提供される印刷メニューを利用して印刷したヤフージャパン(http://www.yahoo.co.jp/)というポータルサイトのホームページは右側端の部分が切られた状態で２枚のＡ４用紙に印刷されることが分かる。
【０００５】
一方、前記のように特定のウェブページの右側端の部分が切られた状態で印刷される問題点は前記ウェブブラウザーで基本的に設定された縦方向の印刷用紙を横方向に変更するとか、縱方向の印刷用紙の印刷領域を変更することによって解決することができる。
【０００６】
しかし、この場合ウェブユーザーがウェブページを印刷する毎にウェブブラウザーの印刷メニューを選択して印刷用紙の方向と印刷領域を変更(例えば、右側余白減らし)しなければならない面倒さがあり、たとえ縱方向の印刷用紙を横方向に変更しても印刷用紙の大きさに比べて横長さがもっと長いウェブページを印刷する場合には右側端の部分が切られた状態で印刷される問題点を依然として解消することができない。
【０００７】
また、従来のウェブブラウザーから提供される印刷メニューを選択して特定のウェブページを印刷する方法はウェブページの全体内容の中でウェブユーザーが必要とする一部の内容だけを印刷するためには、マウスを操作して該当の内容をコピーしてから、ＭＳワードやハングル２００２等のような別の文書作成機で「貼り付け」を行った後、印刷をしなければならない面倒さがあった。
【発明の開示】
【発明が解決しようとする課題】
【０００８】
本発明は、前記した従来の問題点を解決するためのことであって、本発明の目的はウェブユーザーがウェブブラウザーを駆動して特定のウェブサイトに接続した状態で該当のウェブサイトの特定のウェブページに対して印刷を要求するとウェブブラウザーから提供されるウェブ印刷ビューアーと別個に動作するウェブ印刷専用ビューアーが動作して前記ウェブページをスクロールキャプチャーして現在のウェブページの大きさを前記ウェブブラウザーの印刷領域に合わせるように自動調節したウェブページのイメージを生成してウェブ印刷専用制御窓に表示し、前記ウェブ印刷専用制御窓の印刷メニューで印刷ボタンが選択されると前記ウェブブラウザーの印刷領域に合わせるように大きさが自動調節されたウェブページを印刷し、前記印刷メニューで選択領域ボタンが選択された後、前記ウェブページのイメージで特定の領域が選択されると前記ウェブブラウザーの印刷領域に合わせるように大きさが自動調節されたウェブページの内容の中で前記選択された領域に該当する内容だけを含むウェブページを印刷するウェブページの印刷方法を提供することである。
【課題を解決するための手段】
【０００９】
前記のような本発明の目的を達成するために、本発明によるウェブページの印刷方法は、ウェブユーザーがウェブブラウザーを駆動して特定のウェブサーバーのウェブサイトに接続した状態で該当のウェブサイトの特定のウェブページに対して印刷を要求する段階と;
印刷の要求があれば、該当のウェブサイトのウェブサーバーがウェブユーザーのＰＣにウェブ印刷専用ビューアーをダウンロードする段階; 
前記ウェブユーザーのＰＣにダウンロードされたウェブ印刷専用ビューアーがウェブブラウザーから提供されるウェブ印刷ビューアーと別個に自動動作して前記ウェブページをスクロールキャプチャーして現在のウェブページの大きさを前記ウェブブラウザーの印刷領域に合わせるように自動調節した初期ウェブページのイメージを生成する段階;
前記ウェブ印刷専用ビューアーが前記初期ウェブページのイメージの大きさが前記ウェブブラウザーの印刷用紙の大きさを超過するかどうかを判断する段階; 
前記初期ウェブページのイメージの大きさが前記ウェブブラウザーの印刷用紙の大きさを超過しなければ、前記ウェブ印刷専用ビューアーが前記初期ウェブページのイメージをウェブ印刷専用制御窓に表示する段階; 
前記初期ウェブページのイメージの大きさが前記ウェブブラウザーの印刷用紙の大きさを超過すれば、前記ウェブ印刷専用ビューアーが前記初期ウェブページのイメージを複数のウェブページのイメージに分離させた後、前記複数のウェブページのイメージの中で一番目のウェブページのイメージを前記ウェブ印刷専用制御窓に表示し、残りのウェブページのイメージ等は前記ウェブ印刷専用制御窓の印刷メニューでページ移動ボタンが選択される毎に順次に表示されるようにする段階; 
及び前記ウェブ印刷専用制御窓にウェブページのイメージが表示された状態で前記印刷メニューで印刷ボタンが選択されると、前記ウェブ印刷専用ビューアーが前記ウェブブラウザーの印刷領域に合わせるように大きさが自動調節されたウェブページをウェブユーザーのＰＣと連動するプリンターを通じて印刷する段階からなる。
【００１０】
さらに、前記のような本発明の目的を達成するために、本発明によるウェブページの印刷方法は、前記ウェブ印刷専用制御窓の印刷メニューで選択領域ボタンが選択された後、前記ウェブ印刷専用制御窓に表示されたウェブページのイメージで特定の領域が選択されると前記ウェブ印刷専用ビューアーが前記ウェブブラウザーの印刷領域に合わせるように大きさが自動調節されたウェブページの内容の中で前記選択された領域に該当する内容だけを含むウェブページをウェブユーザーのＰＣと連動するプリンターを通じて印刷する段階を含む。
【００１１】
さらに、前記のような本発明の目的を達成するために、本発明によるウェブページの印刷方法は、前記初期ウェブページのイメージの大きさが前記ウェブブラウザーの印刷用紙の大きさを超過することによって前記ウェブ印刷専用ビューアーが前記初期ウェブページのイメージを複数のウェブページのイメージに分離させた後、前記複数のウェブページのイメージの中で一番目のウェブページのイメージが前記ウェブ印刷専用制御窓に表示された状態で、前記ウェブ印刷専用制御窓の印刷メニューでページ設定ボタンが選択された後、ページ設定メニューのページの高さに合わせボタンが選択されてから、前記印刷ボタンが選択されると、前記複数のウェブページのイメージに分離された初期ウェブページのイメージを一つのウェブページのイメージに合わせてウェブユーザーのＰＣと連動するプリンターを通じて一つの印刷用紙に印刷する段階を含む。
【００１２】
さらに、前記のような本発明の目的を達成するために、本発明によるウェブページの印刷方法は、前記ウェブ印刷専用制御窓にウェブページのイメージが表示された状態で、前記印刷メニューで保存ボタンが選択されると、前記ウェブ印刷専用ビューアーが前記ウェブブラウザーの印刷領域に合わせるように大きさが自動調節されたウェブページをウェブユーザーのＰＣに特定のイメージファイルとして保存する段階を含む。
【発明の効果】
【００１３】
前述したような本発明によると、従来のウェブページの印刷時に右側端の部分が切られた状態で印刷される問題点を解消することだけではなく、別の文書作成機を使用しなくてもウェブページの全体内容の中でウェブユーザーが必要とする一部の内容だけを容易に選択的に印刷することができる。
【００１４】
以上で説明したことは本発明によるウェブページの印刷方法を行うための一つの実験例に過ぎないことであって、本発明は前述した実験例に限定されるものでなく、以下の特許請求の範囲で請求する本発明の要旨を逸脱しないで、本発明が属する分野で通常の知識を有する者なら誰でも多様な変更実施が可能な範囲まで適用される。
【発明を実施するための最良の形態】
【００１５】
以下、本発明の望ましい実験例を添付した図面を参照してより詳しく説明する。
【００１６】
図３に示す本発明によるウェブページの印刷方法はインターネットを通じて特定のウェブサーバーが運用するウェブサイトに接続可能で、プリンターと連動可能なウェブユーザーのＰＣで実行され、前記ウェブサイトに含まれるすべてのウェブページにはウェブユーザーが本発明による方法によってウェブページの印刷を要求することができる印刷要求ボタンが表示されることを前提とする。
【００１７】
最初に、ウェブユーザーが自分のＰＣに搭載されたウェブブラウザーを駆動して特定のウェブサーバーのウェブサイトに接続した状態で該当のウェブサイトの特定のウェブページに表示される印刷要求ボタンを選択して該当のウェブページに対して印刷を要求すると(S１０)、前記ウェブサーバーはウェブユーザーのＰＣに本発明によるウェブページの印刷方法を行うためのプログラムであるウェブ印刷専用ビューアーをダウンロードする(S２０)。
【００１８】
これによって、前記ウェブユーザーのＰＣにダウンロードされた前記ウェブ印刷専用ビューアーは従来のウェブブラウザーから提供されるウェブ印刷ビューアーと別個に自動動作して前記ウェブページの縦軸の開始位置から縦軸の終了位置まで該当のウェブページをスクロールキャプチャーし、横軸の開始位置から横軸の終了位置まで該当のウェブページをスクロールキャプチャーして得た現在のウェブページの大きさを前記ウェブブラウザーの印刷用紙の印刷領域に合わせるように自動調節した初期ウェブページのイメージをビットマップ方式によって生成する(S３０)。
【００１９】
次いで、前記のようにスクロールキャプチャーされる現在のウェブページは、１枚の出力用紙に印刷可能な大きさであるとか図１と図２に示すように２枚の出力用紙に印刷可能な大きさであるかもしれないので、前記ウェブ印刷専用ビューアーは前記初期ウェブページのイメージの大きさが前記ウェブブラウザーで基本的に設定された印刷用紙(例えば、Ａ４用紙)の大きさを超過するかどうかを判断する(S４０)。
【００２０】
もし、前記初期ウェブページのイメージの大きさが前記ウェブブラウザーの印刷用紙の大きさを超過しなければ、前記ウェブ印刷専用ビューアーは前記初期ウェブページのイメージを図４に示すようなウェブ印刷専用制御窓に表示し(S５０)、この場合には現在のウェブページがウェブブラウザーで基本的に設定された印刷用紙(例えば、Ａ４用紙)１枚で印刷可能な大きさに該当する。
【００２１】
これと違って、もし前記初期ウェブページのイメージの大きさが前記ウェブブラウザーの印刷用紙の大きさを超過すると、前記ウェブ印刷専用ビューアーは前記初期ウェブページのイメージを複数のウェブページのイメージに分離した後(S６０)、前記複数のウェブページのイメージの中で一番目のウェブページのイメージを前記ウェブ印刷専用制御窓に表示し、残りのウェブページのイメージ等は前記ウェブ印刷専用制御窓の印刷メニューでページ移動ボタンが選択される毎に順次に表示する(S７０)。この場合は現在のウェブページが図１と図２に示すように、ウェブブラウザーで基本的に設定された印刷用紙(例えば、Ａ４用紙)を２枚以上必要とする大きさに該当する。
【００２２】
参照として、図４に示す前期ウェブ印刷専用制御窓はページ移動ボタン(|＜、＜、＞、＞|)と、ページ拡大/縮小ボタン(＋、―)、ページ設定ボタン、印刷ボタン、保存ボタン、選択領域ボタンを含む印刷メニュー部分とウェブページのイメージを表示する表示窓部分に区分される。
【００２３】
前記ページ移動ボタン(|＜、＜、＞、＞|)は前記初期ウェブページのイメージを複数のウェブページのイメージに分離して形成された複数のウェブページのイメージを選択して表示する機能を提供し、前記ページ拡大/縮小ボタン(＋、―)は現在の表示窓部分に表示されたウェブページのイメージを拡大あるいは縮小して表示する機能を提供する。
【００２４】
前記ページ設定ボタンは現在の表示窓部分に表示されたウェブページのイメージをページ幅に合わせ、ページ高さに合わせ、ページに合わせ、実際の大きさ等に多様に設定する機能を提供し、前記印刷ボタンはウェブページのイメージを印刷する機能を提供する。
【００２５】
前記保存ボタンは前記ウェブページのイメージをウェブユーザーのＰＣに特定のイメージファイルとして保存する機能を提供し、前記選択領域ボタンは前記ウェブページのイメージの中でウェブユーザーが選択した領域だけを印刷する機能を提供する。
【００２６】
前記のようにウェブブラウザーで基本的に設定された印刷用紙(例えば、Ａ４用紙)１枚あるいは２枚以上に印刷可能な大きさのウェブページのイメージが前記ウェブ印刷専用制御窓に表示された状態で(S５０，S７０)、ウェブユーザーが前記印刷ボタンを選択すると(S８０)、前記ウェブ印刷専用ビューアーは前記ウェブブラウザーの印刷領域に合わせるように大きさが自動調節されたウェブページをウェブユーザーのＰＣと連動するプリンターを通じて印刷する(S９０)。
【００２７】
この時、前記ウェブブラウザーで基本的に設定された印刷用紙(例えば、Ａ４用紙)１枚に印刷可能な大きさの現在のウェプページに対応する初期ウェブページのイメージは図４に示すように右側端の部分が切られていない完全な状態で１枚の印刷用紙に印刷され、前記ウェブブラウザーで基本的に設定された印刷用紙(例えば、Ａ４用紙)２枚以上に印刷可能な大きさの現在のウェプページに対応して複数のウェブページのイメージに分離される初期ウェブページのイメージは図１や図２と違って、右側端の部分が切られなかった完全な状態で２枚以上の印刷用紙に印刷される。
【００２８】
以下、本発明によるウェブページの印刷方法の付加的な機能に対して詳しく説明する。
一つ目に、前記のようにウェブブラウザーで基本的に設定された印刷用紙(例えば、Ａ４用紙)１枚あるいは２枚以上に印刷可能な大きさのウェブページのイメージが前記ウェブ印刷専用制御窓に表示された状態で(S５０、S７０)、ウェブユーザーが前記印刷ボタンを直ちに選択しないで(S８０)、先に前記ウェブ印刷専用制御窓の印刷メニューで選択領域ボタンを選択した後、マウスを操作して前記ウェブ印刷専用制御窓に表示されたウェブページのイメージで特定の領域を選択した後(S１００)、前記印刷ボタンを選択すると(S８０)、前記ウェブ印刷専用ビューアーは前記ウェブブラウザーの印刷領域に合わせるように大きさが自動調節されたウェブページの内容の中で前記選択された領域に該当する内容だけを含むウェブページをウェブユーザーのＰＣと連動するプリンターを通じて印刷する(S９０)。
例えば、図４に示すようにa、b、c、d、eという内容を含む特定のウェブページのイメージが前記ウェブ印刷専用制御窓に表示された状態で(S５０、S７０)、ウェブユーザーが前記選択領域ボタンを選択した後、マウスを操作して前記ウェブ印刷専用制御窓に表示されたウェブページのイメージで特定の領域bを選択してから(S１００)前記印刷ボタンを選択すると(S８０)、前記ウェブ印刷専用ビューアーは図５に示すように、前記ウェブブラウザーの印刷領域に合わせるように大きさが自動調節されたウェブページの内容の中で前記選択された領域bに該当する内容だけを含むウェブページをウェブユーザーのＰＣと連動するプリンターを通じて印刷する(S９０)。
これによって、ウェブユーザーは特定のウェブページを印刷する時、自分が必要とする内容だけを選択して印刷することができる。
二番目に、図１と図２に示す例と類似するように、前記ウェブブラウザーで基本的に設定された印刷用紙(例えば、Ａ４用紙)２枚以上に印刷可能な大きさのウェブページのイメージが前記ウェブ印刷専用制御窓に表示された状態、すなわち前記初期ウェブページのイメージの大きさが前記ウェブブラウザーの印刷用紙(例えば、Ａ４用紙)の大きさを超過することによって前記ウェブ印刷専用ビューアーが前記初期ウェブページのイメージを２枚以上のウェブページのイメージに分離した後、前記２枚以上のウェブページのイメージの中で一番目のウェブページのイメージを前記ウェブ印刷専用制御窓に表示した状態で(S７０)、ウェブユーザーが前記印刷ボタンを直ちに選択しないで(S８０)、先に前記ウェブ印刷専用制御窓の印刷メニューでページ設定ボタンを選択した後、表示されるページ設定メニュー(例えば、前記したページ幅に合わせ、ページ高さに合わせ、ページに合わせ、実際の大きさ等)の中で、ページ高さに合わせボタンを選択してから(S１１０)、前記印刷ボタンを選択すると(S８０)、前記ウェブ印刷専用ビューアーは前記２枚以上のウェブページのイメージに分離された初期ウェブページのイメージを１枚のウェブページのイメージに合わせてウェブユーザーのＰＣと連動するプリンターを通じて１枚の印刷用紙に印刷する(S９０)。
三番目に、前記のようにウェブブラウザーで基本的に設定された印刷用紙(例えば、Ａ４用紙)１枚あるいは２枚以上に印刷可能な大きさのウェブページのイメージが前記ウェブ印刷専用制御窓に表示された状態で(S５０、S７０)、ウェブユーザーが前記印刷ボタンを直ちに選択しないで(S８０)、先に前記ウェブ印刷専用制御窓の印刷メニューで保存ボタンを選択すると(S１２０)、前記ウェブ印刷専用ビューアーは前記ウェブブラウザーの印刷領域に合わせるように大きさが自動調節されたウェブページをウェブユーザーのＰＣに特定のイメージファイル(例えば、bmpファイル、tifファイル、jpegファイル、pdfファイル等)として保存する(１３０)。
これによって、ウェブユーザーは特定のウェブページに接続しなくても前記ＰＣに保存された特定のイメージファイルを呼び出して前記特定のウェブページを必要とする時毎に印刷することができる。
【図面の簡単な説明】
【００２９】
【図１】マイクロソフトインターネットエクスプローラーから提供される印刷メニューを利用して印刷したヤフージャパン(http://www.yahoo.co.jp/)のホームページ。
【図２】マイクロソフトインターネットエクスプローラーから提供される印刷メニューを利用して印刷したヤフージャパン(http://www.yahoo.co.jp/)のホームページ。
【図３】本発明によるウェブページの印刷方法を示すフローチャート。
【図４】本発明によるウェブ印刷專用制御窓に表示されるウェブページのイメージを示す実験例。
【図５】本発明によるウェブ印刷專用制御窓に表示されるウェブページのイメージを示す他の実験例。
【図１】
2008135062.tif 000003
【図２】
2008135062.tif 000004
【図３】
2008135062.tif 000005
【図４】
2008135062.tif 000006
【図５】
2008135062.tif 000007